Podtech/llm-jp-corpus-v4-ja_patent huggingface dataset:
(57)【要約】      （修正有）【課題】伸縮棒の先に卓球の球を固定することにより、卓球競技のレベルをアップさせるためのコンパクトな携帯できる動体視力及び眼筋を強化する用具を提供する。【解決手段】卓球の球１を文字・マーク３が書いてある面を正面にして、伸縮棒２の上部に固定し、伸縮棒の先の卓球の球を文字・マークが正面になるように固定する。この伸縮棒の下部を持って振り卓球の球を動かして、顔を動かさずに眼球だけを左右に動かして文字・マークを目で追い、焦点もあわせることを特徴とする。【選択図】図１
2012011155.tif 000002
【特許請求の範囲】
【請求項１】
伸縮棒の先に卓球の球を取り付けた携帯できる動体視力及び眼筋を強化する用具。
【発明の詳細な説明】
【技術分野】
【０００１】この発明は、伸縮棒の先に卓球の球を取り付けた携帯できる動体視力及び眼筋を強化する用具に関するものである。
【背景技術】
【０００２】動体視力・眼筋を強化すると卓球競技のレベルがアップすることが知られているが、卓球競技者は球を打ったり投げたりして空中に飛んでいる球を見ることで眼の訓練をしている。また、動体視力・眼筋を訓練する装置は有るが、どこへでも持ち歩けてどこででも使用できるコンパクトなものではなかった。
【発明の概要】
【発明が解決しようとする課題】
【０００３】これは、次のような問題点があった。
（イ）  球を空振りした時、打ち損じた時、キャッチできない時は、球を拾いに行かなければならないので訓練が中断してしまう。
（ロ）  球の速さ・球の動く範囲を訓練のレベルに合わせて変えられない。
（ハ）  球に書いてある文字・マークが回転してしまい、常に文字・マークを目で追えない。
（ニ）  眼球だけを動かして訓練すると効果があるが、体・顔を動かしてしまうので、眼筋を強化する効果が薄れる。
（ホ）  いつでも、どこででも、したいときに訓練できない。
本発明は、以上のような欠点を解決した、携帯できる動体視力及び眼筋を強化する用具である。
【課題を解決するための手段】
【０００４】卓球の球（１）を文字・マーク（３）が正面を向くように伸縮棒（２）に固定する。
以上の構成によりなる携帯できる動体視力及び眼筋を強化する用具である。
【発明の効果】
【０００５】（イ）  球が固定されているので、球拾いの都度、訓練を中断することが無い。
（ロ）  文字・マークが正面を向くように球が固定されているので、常に文字・マークを目視できる状態に保てる。
（ハ）  使用する人が自ら球を動かすので、各人のレベルに合った速度で訓練ができる。
（ニ）  伸縮棒を伸ばして使用することにより球の可動範囲が広がり、眼筋をより大きく動かす訓練ができる。
（ホ）  卓球の球そのものを見て訓練するので、卓球競技に生かせる。
（ヘ）  コンパクトなので、いつでもどこでも訓練できる。
【図面の簡単な説明】
【０００６】
【図１】本発明の斜視図である。
【発明を実施するための形態】
【０００７】以下、本発明の実施の形態について説明する。
卓球の球（１）を文字・マーク（３）が書いてある面を正面にして、伸縮棒（２）の上部に固定する。
本発明は、以上のような構造で、伸縮棒の下部を持って振り卓球の球を動かして、動体視力及び眼筋の強化に使用する。
（イ）  伸縮棒を立てて伸縮棒の下部を文字・マークが見えるように持って左右に振り卓球の球を左右に動かして、顔を動かさずに眼球だけを左右に動かして文字・マークを目で追う。
（ロ）  伸縮棒を立てて伸縮棒の下部を文字・マークが見えるように持って前後に振り卓球の球を前後に動かして、顔を動かさずに文字・マークを目で追い遠く近くに焦点を合わせる。
（ハ）  伸縮棒の下部を文字・マークが見えるように持って伸縮棒を横にして上下に振り卓球の球を上下に動かして、顔を動かさずに眼球だけを上下に動かして文字・マークを目で追う。
（ニ）  伸縮棒を徐々に伸ばして（イ）（ロ）（ハ）を行い卓球の球の動く範囲を広げていって、より大きく眼球を動かす。
【符号の説明】
【０００８】１  卓球の球
２  伸縮棒
３  文字・マーク
【図１】
2012011155.tif 000003
(57)【要約】      （修正有）【課題】ティッシュペーパー自体を人気商品とし、また使用時に、次のティッシュペーパーが出ないなどの問題も解決するティッシュペーパー及びティッシュペーパー容器を提供する。【解決手段】ボックス中からいつ出てくるかわからないさまざまな文字や絵を入れる事によって毎回使用する度にドキドキする事ができる。この様な付加価値を付ける事によって購買意欲がわき、また景品や新しいティッシュペーパーと交換することによって再度来店してもらう事ができ、家族、友人などの間で話題性をよびリピーターを増やす事となる。また、ボックス上部取り出し口の樹脂フィルム部分２を色付きにし、２分割した樹脂フィルム２の一方を他方より幅広くし、２つの樹脂フィルム２のかさなり合う端を、細かく山切りカットする事によって取り出してくるティッシュ１を落とす事なく、出た文字や絵などもしっかりと取り出せる。【選択図】図１
2012011158.tif 000002
【特許請求の範囲】
【請求項１】
すべてのティッシュペーパーの中から一部無作為に出るティッシュペーパーに、さまざまな文字や絵を書き入れた当たり付きティッシュペーパー。
【請求項２】
ボックスティッシュペーパー上部の、取り出し口樹脂フィルム部分を色付きにする、請求項１記載の当たり付きティッシュペーパー。
【請求項３】
上記記載の樹脂フィルムを内側に貼る時、２つを個別に貼り、片方は取り出し口の中心から少し長い物とする、請求項１〜２記載の当たり付きティッシュペーパー。
【請求項４】
上記記載の２つの樹脂フィルムのかさなり合う端を、細かく山切りカットに加工する、請求項１〜３の当たり付きティッシュペーパー。
【発明の詳細な説明】
【技術分野】
【０００１】  本発明はボックスティッシュ内に、無作為にさまざまな文字などを書いたティッシュペーパーを入れる事である。また、その取り出されたティッシュを、ボックス上部取り出し口から下に落ちないようしっかりとどめておく事である。
【背景技術】
【０００２】  無料配布やスーパーなどの販売店の集客目的につかわれ、５個１組などの目玉商品や箱部分に宣伝広告を入れたりして使われている。また、ボックス上部取り出し口については樹脂フィルムが貼ってあり、中心には切れ目があるのが一般的である。
【先行技術文献】
【特許文献】
【０００３】
【特許文献１】実開平  ６−５１１６７
【特許文献２】特開  ２００２−１３６４４４
【発明の概要】
【発明が解決しようとする課題】
【０００４】  ほとんどのボックスティッシュは、ティッシュペーパー自体の技術より、集客目的に使われている。各社安売り合戦や、無料配布しているケースもある。生活用品としてかかせないティッシュペーパーは、ただの使い捨て商品である。そこでティッシュペーパー自体を人気商品にする事である。
【課題を解決するための手段】
【０００５】  ボックスティッシュペーパーの中に、ランダムに１枚の異なるティッシュを入れる事で解決する。その異なるティッシュは、さまざまな文字や絵を入れる事で、利用者はいつ出てくるかわからない１枚にドキドキする事ができる。また、内容のバリエーションをふやす事で、楽しさも倍増し購買意欲もわく。
【発明の効果】
【０００６】  特定の文字が出た場合、景品やサービスなどをする事で、販売店に再度足をはこんでもらう事ができ、売上のアップにもつながる。また商品自体の購買意欲も高まる。
【図面の簡単な説明】
【０００７】
【図１】  本発明から異なるティッシュが出た例である。
【図２】  本発明のボックス断面図である。
【図３】  本発明のボックスの取り出し口に付く樹脂フィルムの施工方法である。
【発明を実施するための形態】
【０００８】  図１−１は、確実に上部の取り出し口から出てくる様にするため、その一つ前のティッシュペーパーと確実に連動する事とする。また、１の後に出るティッシュペーパーについても１と連動する事とする。そのために図２−４ａ、４ｂが重要である。４ａの樹脂フィルムの長さは４ｂより少し長くする、また、４ａ４ｂ共に切断面には少しの深さで山切りカットにする。そうする事によって上部取り出し口から出たティッシュペーパーをしっかりとキャッチし、書かれた文字や絵をしっかりと見届けられる。
【０００９】  図１−１に画かれている文字・絵などについてはティッシュペーパーの衛生上、人体に無害な染料とする。
【００１０】  図１−２の上部取り出し口については、従来の透明の樹脂フィルムではなく、色付きの物を使う。そうする事によって中にあるティッシュペーパーを見えにくくし、次回への期待をそこなわない。またボックス自体の色、雰囲気に合わせたものとする。
【００１１】  図３−４ａ、４ｂは、ボックス取り出し口上部内側に個別に接着する。
図３で説明すると４ａ→４ｂの順に接着する。また４ａはボックス中心線より少し長くする、その理由として以下の事がある。
イ・片方を長くする事によって、下から取り出されるティッシュに対して抵抗がかかり、しっかりキャッチする事が出来る。また、端部分を細く山切りカットする事によって硬さをまし、取り出されるやわらかいティッシュを受け止める事ができる。
ロ・ボックスティッシュを長く利用していると、ボックス上部取り出し口の樹脂フィルムの部分が広がりたるんでくる。しかし、４ａを少し長くする事によって余裕があり、もしフィルム部分が広がりたるんできても中が丸見えにならず、取り出されるティッシュについてもしっかりとキャッチできる。
【符号の説明】
【００１２】１、異なる１枚のティッシュペーパー
２、ボックス上部取り出し口
３、ティッシュペーパー
４ａ、中心線より少し長い樹脂フィルム
４ｂ、中心線までの樹脂フィルム
５、接着剤
６、ボックス本体
７、中心線
８、山切りカットした樹脂フィルム
【図１】
2012011158.tif 000003
【図２】
2012011158.tif 000004
【図３】
2012011158.tif 000005
(57)【要約】【課題】身体を仰向けに寝て使用する際の従来の湯たんぽは立て膝にしないと足底は温められなかった。固いプラスチック製品が多い。寝た状態で足底やつま先を温める製品はなかった。  本発明は、足底やつま先も温めるための湯たんぽ及び水枕を提供する。【解決手段】湯たんぽ本体をカスタネット状に形成し、外側面を足底の角度に適合するように丸みを持った曲斜面にし、開口部中央に内側面の上下をつなぐ通路を設け、取っ手としての機能を持たせ、外側面の開口部辺に給油口を設けたことを特徴とする湯たんぽ及び水枕。【選択図】図１
2012011152.tif 000002
【特許請求の範囲】
【請求項１】
湯たんぽ本体をカスタネット状に形成し、外側面を足底の角度に適合するように丸みを持った曲斜面にし、開口部中央に内側面の上下をつなぐ通路を設け、取っ手としての機能を持たせ、外側面の開口部辺に給油口を設たことを特徴とする湯たんぽ及び水枕。。
【発明の詳細な説明】
【技術分野】
【０００１】  本発明は、冬季に使う足温器である湯たんぽ及び水や氷枕にも使用できる容器に関するものである。
【背景技術】
【０００２】  従来の市販商品はプラスチック製品で、何れの製品も楕円状の湯たんぽが多く市販されており、プラスチックとして細長型（特許文献１参照）や金属では（特許文献２参照）、ゴム等の柔軟材や（特許文献３参照）、又、足甲を覆える型の（特許文献４参照】などがある。
【先行技術文献】
【０００３】
【特許文献１】  特開２００９−２７９２６３
【特許文献２】  特開２００４−１６５１１
【特許文献３】  特開２００３−２４３６３
【特許文献４】  登録実用新案第３１４７８３５号
【発明の概要】
【発明が解決しようとする課題】
【０００４】  身体を仰向けに寝て使用する際の従来の湯たんぽは立て膝にしないと足底は温められない。固いプラスチック製品が多い。寝た状態で足底や、つま先を温めたい。
本発明は以上の問題点を解決するものである。
【課題を解決するための手段】
【０００５】  湯たんぽ本体をカスタネット状に形成し、外側面を足底の角度に適合するように丸みを持った曲斜面にし、開口部中央に内側面の上下をつなぐ通路を設け、取っ手としての機能を持たせる。外側面の開口部辺に給油口を設ける。
以上の構成よりなる湯たんぽ。
【発明の効果】
【０００６】  従来立て膝の体制にしなければ足底は温められなかったが本発明により、足を伸ばしたまま足底を温められることを可能にした。
【図面の簡単な説明】
【０００７】
【図１】本発明の斜視図
【図２】本発明の一部である状態を示す斜視図
【図３】本発明の使用状態を示す斜視図
【発明を実施するための形態】
【０００８】  以下、本発明の実施の形態を説明する。
（イ）平面を二つ折にしたようなカスタネット状の本体（１）にする。
（ロ）開口部（４）中央に内側面の上下をつなぐ通路を設け、取っ手（２）としての機能を持たせる。
（ハ）上部に給湯口を設ける。
これを使用する時は、給湯口からお湯を注ぐ。布団の中で、足底、足甲部分も両面温められる。両面使用できるため、こたつ内でも使え、又、水や氷を入れて水枕や氷枕としても使用可能であり、様々なシチュエーションでの使用も可能であり、湯たんぽ及び水枕として従来に無いデザインとした。
【符号の説明】
【０００９】（１）本体、（２）取っ手、（３）給湯口、（４）開口部
【図１】
2012011152.tif 000003
【図２】
2012011152.tif 000004
【図３】
2012011152.tif 000005
(57)【要約】【課題】テレビはデジタル時代を迎え双方向性や文字数字の読み取りが重要になってきている。また映画や長時間番組など、人は疲れて寝ながら視ていたくなる。楽な正臥姿勢を続けながら左右が逆にならない正像を映す、安価軽量な光学装置を提供する。【解決手段】二枚の平面鏡を屈曲回動自在に結合し鏡対として一体化し、二鏡の相対角度を自在に設定することにより、写像を二回反射させ、正像を映しだす。【選択図】図１
2012011153.tif 000002
【特許請求の範囲】
【請求項１】
二枚の平面鏡を、球体部及び球受部で成る関節機能を有する結合部品を使って屈曲回動自在に連結し、屈折角可変鏡たる光学系要素であることを特徴とする鏡対
【請求項２】
前項の鏡の１を接眼鏡として使い、その長辺寸法を左右視差幅の１，５倍約１０ｃｍに設定し、鏡の２を方角鏡として使いその寸法は、鏡１に対する鏡２の長辺比を約１，５倍とする、形態の非対称を特徴とする請求項１の鏡対
【発明の詳細な説明】
【技術分野】
【０００１】本発明は鏡の写像を反鏡像化して映す光学技術に関する
【背景技術】
【０００２】昔は手に持った合せ鏡を操って正像を映す行為は奇術と見なされ、技術ではなかった。
後年医療分野で入院患者にテレビは必須な物となり、一部にはアーム付反射鏡が使われたが液晶テレビが普及しだすと懸架式アームの需要に切換り、現在に至っている。
【先行技術文献】
【特許文献】
【０００３】
【特許文献１】特開２００１−２９２８３５
【特許文献２】特開２００８−７０６０３
【０００４】
【発明の概要】
【発明が解決しようとする課題】
【０００５】大多数の病院は入院患者に首を曲げさせる前提でテレビを横置きにして見させているが、長時間では健常者でさえかなり苦痛であるし、首の動かせない治療中の患者もいる。窮屈な入院生活の快適度を上げて患者の回復力免疫力の向上に寄与したい。
或いは自宅でリラックスして寝転んでテレビやＤＶＤを見る人は、肘枕が定番だが無理な姿勢だからすぐ疲れる。手軽な反射鏡を使ってテレビを見ようとした場合、最近の放送番組は文字数字が多用されていて左右が逆では楽しめない。それを鏡二枚組み合せれば反鏡像化する原理を応用して解決する。その為の鏡の結合と角度の設定、その使用者が他人の介助を受けずに自身で操れる、機能の簡略化を課題とする。
【課題を解決するための手段】
【０００６】屈曲回動自在であり除力後も形態を保つ関節部材で連結された、本発明の鏡対１０の相対角度を、予め鏡１に対する鏡２を（対ｘ軸ｙ軸共に）約４５°にプリセットして置いて、連結部分を持って眼の近くにかざせば反射角９０°を二回屈折した正像が視られる。正臥の姿勢である場合は左右の物が天井方向に正像で映る。
【発明の効果】
【０００７】本発明の鏡対１０は、二鏡で構成する光学システムとしては鏡間距離が最短であり被写体との距離が縮まるため像はその分大きく映る。鏡１の全面に鏡２の全フレームが映り込むので鏡の面積利用効率が高く目的とするテレビ映像が見やすい（図５点線）【０００８】本発明品を造るに当っては、必要な資材量が少なく消費エネルギー０、エコ軽量安価、旧来技術の顔の上の空間に高価で重い液晶機材を吊す不安感からも解放され、利用者は健康的で楽な正臥の姿勢を続けて疲労回復とテレビを楽しむことの両立ができる。
【図面の簡単な説明】
【０００９】
【図１】写像の反射経路模式図である。
【図２】（イ）鏡対１０の組立前、（ロ）組立後の図である。
【図３】（イ）正像鏡背面図、（ロ）同斜視図である。
【図４】方角鏡２のプリセット模式図である。
【図５】鏡対１０の全体図と写像フレーム（点線）である。
【図６】鏡対１０の組み付け方法説明図である。
【発明を実施するための形態】
【００１０】（イ）鏡１，２をつなぐ関節部材には４５°以上回動が可能なボールヘッド雲台式、多数個必要な連節式の二方式が考えられる。前者は精密機械加工で造るのに対し、後者連節ピースは一般市販品があり、実証例の説明にはこれを採用する。
（ロ）連節ピース一個で得られる傾斜角は約１０°で４５°には五個（コネクターを含む）必要になる。嵌合して出来る棒状部品を、以後連節ロッド４と称する（図２ロ）
（ハ）鏡１，２共に反射材は鏡面アルミ、木質板の基台に把手５をネジ着した後に両面接着テープで貼着する。鏡１の把手５ａにはコネクター取り付け用の穴を設け、鏡２の把手５ｂには両端に連節ロッド４を嵌め込む座繰り穴を設ける。
（ニ）連節ロッド４の球体部を、鏡１，２が密着して直角になる位置で把手５ｂに挿入して固定すると正面から視る正像鏡（図３）になる．
（ホ）鏡２を上下逆にして挿入すると連節ピース四個分約６ｃｍ乖離して直立する（図２ロ）鏡１とロッドを撓動して鏡１，２の稜角を合せると相対角４５°が得られ、反射角は９０°になり、鏡で二回反射すると正臥位における正像になる。
（ヘ）鏡１とロッドを逆に撓動して他辺の稜角同士を合わせると−４５°になりベッドサイドに置かれる被写体の左右変更ができる（図４）
【実施例】
【００１１】本発明に係る鏡対１０は、木質材料を使って総重量１５０ｇ程度と軽く、コンパクトで、連節ロッド４を握ったまま眼に近づけると直ちに二鏡間の反射写像を視ることが出来る。
水平９０°水直９０°屈折二回で正像化している。【００１２】正像装置として常設するには使用者の環境に合わせて、Ｚライト方式のアーム機能を利用するなど、小型軽量は他ジャンルとの協調利用が容易である。鏡１の把手５ａにはネジ桿が突設され、これと蝶ナットで仰俯角自由に１５ｃｍ×１，５ｃｍ×１，５ｃｍのアームが装着される。これが握り棒兼接続棒であると同時に、文具のクリップで咥えられる太さなので多方面に応用が利く（図５）【００１３】他の機器のアーム機能に頼らず、独立して使うには枕元に３０ｃｍ×３ｃｍ×３ｃｍ位の角柱を立てる方法と、ベッド囲い柵を利用する方法がある（図６）
支柱頂部に設けた軸芯７と軸受８を使ってアーム６を上下左右自由に回動して任意の位置に停止させることができる。
図中の敷板を敷き布団の下に差し入れると頭の重みで支柱は安定する。但しベッドの場合は、下がスプリング等で柔らかいと揺れるので、軸芯７軸受８を含むブロックを、ベッドの床頭板かパイプ柵にクランプ等を使って組み付ける。
【産業上の利用可能性】
【００１４】産業界で大口需要が見込めるのは、病院用のベッドメーカー、病院内売店、ＤＶＤレンタルショップ
【符号の説明】
【００１５】１………接眼鏡、２………方角鏡、３………コネクター、４………連節ロッド、５ａ，５ｂ………把手  ６………接続棒（アーム）、７………軸芯、８………軸受、１０………鏡対
【図１】
2012011153.tif 000003
【図２】
2012011153.tif 000004
【図３】
2012011153.tif 000005
【図４】
2012011153.tif 000006
【図５】
2012011153.tif 000007
【図６】
2012011153.tif 000008
(57)【要約】【課題】洗濯機から取り出した洗濯物を入れるカゴには、脚が付いているものはあったが、キャスターで移動でき、しかも、不使用時に折りたたんで収納できるものが無かった。  本発明は、洗濯物などを入れる際のカゴを提供する。【解決手段】シリコン等の弾力性のある樹脂素材を、上部に金具の芯を入れたカゴ状にし、底と平行線上の筒部の一部を、他より厚く盛り上げ、提灯をイメージした凸状にし、さらに、筒部に小穴を開け、容易にコンパクトに折りたたみ可能な形状にし、上部の掴み手を片手でも引っ張って移動できるように、底部に移動可能なキャスターを設けたことを特徴とするキャスター付き折りたたみ洗濯カゴ。【選択図】図１
2012011159.tif 000002
【特許請求の範囲】
【請求項１】
シリコン等の弾力性のある樹脂素材を、上部に金具の芯を入れたカゴ状にし、筒部の一部を、底と平行線上に樹脂材を凸状にし、底部にキャスターを設け、上部に接続した掴み手を設けた、キャスター付き折りたたみ洗濯カゴ。
【発明の詳細な説明】
【技術分野】
【０００１】  本発明は、使用時にすぐに設置でき移動可能なキャスター付きの折たたんで収納できる洗濯物を入れるカゴに関するものである。
【背景技術】
【０００２】  従来、洗い終わった洗濯物を入れるには、定位置に置かれたカゴに入れ、更に、干す際には、干し場までカゴを両手で持って移動させる必要があった。水を含んで重くなった衣類等の入った洗濯カゴを手で持つのは重労働であるが、簡単に移動できるものが無かった。
又、使いたい時だけ設置でき、不使用時、場所を取らずに収納できるものも無かった。
なお、脚が付いて移動できないタイプのものは知られている。（特許文献１参照）
【先行技術文献】
【０００３】
【特許文献１】  特開２００３−２４５４９６号公報
【発明の概要】
【発明が解決しようとする課題】
【０００４】  狭い場所で洗濯の後、取り出して入れる洗濯カゴが、使わない時には邪魔になり、置きっぱなしになっていて、使いたい時だけ設置できるものが無かった。又、水を含んで重くなった洗濯物を干す際、手でカゴを持って移動するのは、量の多い時には大変辛い作業であった。
本発明は、以上の問題点を解決するためになされたものである。
【課題を解決するための手段】
【０００５】  シリコン等の弾力性のある樹脂素材を、上部に金具の芯を入れたカゴ状にし、底と平行線上の筒部の一部を、他より厚く盛りあげ、提灯をイメージした凸状にし、容易にコンパクトなサイズになるように、折りたたみ可能な形状にし、さらに、掴み手を片手だけで引っ張って移動できるように、底部に移動可能なキャスターを設ける。
以上の構成よりなるキャスター付き折りたたみ洗濯カゴである。
【発明の効果】
【０００６】  従来、洗濯カゴを両手で持ち上げずに移動するのは不可能であったが、本発明を使うことで移動可能にし、不使用時には、コンパクトなサイズに折りたたんで収納でき、使用場所の有効利用にもつながる。
本発明は、洗濯用だけでなく、子供のおもちゃ箱や片付け用収納カゴとしても利用できる。
【図面の簡単な説明】
【０００７】
【図１】本発明の斜視図
【図２】本発明の使用状態を示す斜視図
【図３】本発明の折りたたみ状態を示す斜視図
【発明を実施するための形態】
【０００８】以下、本発明の形態を説明する。
（イ）シリコン等の弾力性のある樹脂素材を、上部に金具の芯を入れたカゴ状にし（１）、筒部の一部を他より厚くした凸状の提灯のような折りたたみ箇所（２）を設け、筒部には小穴（３）を開け、コンパクトにたたみ易くし、カゴの上部に接続した掴み手（４）を片手でも引っ張って移動できるように、底部に移動可能なキャスター（５）を設ける。
本発明は以上のような構造である。
本発明を使用するときは、折りたたまれているカゴの、折りたたみ箇所の山の部分を手で押し出してカゴ状にし、洗濯機から取り出した洗濯物をカゴの中に入れ、干場へ移動の際は、カゴの上部の一方の掴み手を片手で持ち、斜め状態のまま、４個の内の２個のキャスターを使って、引っ張りながら移動する。左右どちらの掴み手でも同じように移動可能である。
又、折りたたむ時には、カゴの上部のフチを上から押さえて、押し下げる。さらに、着色の色を変えて、作業別に区別化でき、キャラクターなどのかわいい絵を描いて子供のおもちゃ箱用にもできる。
【符号の説明】
【０００９】    １カゴ
２折りたたみ箇所
３小穴
４掴み手
５キャスター
【図１】
2012011159.tif 000003
【図２】
2012011159.tif 000004
【図３】
2012011159.tif 000005
(57)【要約】【課題】フライ返しでギョーザの焼き目を上に向けることは難しく、又、フライパンに皿を被せて返す方法は、ギョーザに限らず色々な料理で頻繁に使われるが、皿がずれたり、油が垂れて火傷をする危険が非常に高かった。  本発明は、安全にかつキレイにギョーザを盛り付けるための調理器具を提供する。【解決手段】柔軟性、耐熱性に優れたシリコンでコーティングされたリングに持ち手を設け、熱いフライパンにはめ込んで安全かつキレイにギョーザを盛り付けることを特徴とするフライパン裏返し補助器具。【選択図】図３
2012011150.tif 000002
【特許請求の範囲】
【請求項１】
柔軟性、耐熱性に優れたシリコンでコーティングされたリングに持ち手を設けたフライパン裏返し用補助器具。
【発明の詳細な説明】
【技術分野】
【０００１】  本発明は、フライパンで調理した焼ギョーザなどを裏返して別の皿に盛り付けるための補助器具である。
【背景技術】
【０００２】  従来、焼ギョーザを別の皿に盛り付けるためには、フライ返しを利用したりフライパンに皿を直接被せて返していた。
【先行技術文献】
【０００３】
【発明の概要】
【発明が解決しようとする課題】
【０００４】  フライ返しでギョーザの焼き目を上に向ける事は難しく、また、フライパンに皿を直接被せて返す方法は、ギョーザに限らず色々な料理で頻繁に使われるが、皿がずれたり、油が垂れて火傷をする危険が非常に高かった。
本発明は、以上の問題点を解決するものである。
【課題を解決するための手段】
【０００５】  柔軟性、耐熱性に優れたシリコンでコーティングされたリングに持ち手を設けたものである。
以上の構成よりなるフライパン裏返し補助器具。
【発明の効果】
【０００６】  従来、キレイに盛り付ける事が困難であったギョーザを本発明により皿の落下や油による火傷の危険を回避し、安全かつキレイにギョーザを盛り付ける事が出来る。
本発明は、ギョーザだけでなく、スパニッシュオムレツなどにも使うことが出来る。
【図面の簡単な説明】
【０００７】
【図１】  本発明の平面図
【図２】  本発明の斜視図
【図３】  本発明の使用状態を示す斜視図
【図４】  本発明の使用状態を示す斜視図
【図５】  本発明の使用状態を示す斜視図
【図６】  本発明の使用状態を示す斜視図
【発明を実施するための形態】
【０００８】  以下、本発明の実施の形態を説明する。
（イ）シリコンでコーティングされたリング（１）の左右に持ち手（２）を設ける。
（ロ）リング（１）の下部にはめ込み部（３）を設ける。
本発明は以上のような構造である。
本発明を使用するときは、左右の持ち手（２）を両手で持ち、フライパンの縁の内側にはめ込む。皿を被せ、片手で皿を押さえ、もう一方の手でフライパンの取っ手を持ち、裏返す。皿は滑らず、油も垂れず、安心して返し、盛り付ける事が出来る。
【符号の説明】
【０００９】  １．リング部
２．持ち手
３．はめ込み部
４．フライパン
５．皿
６．ギョーザ
【図１】
2012011150.tif 000003
【図２】
2012011150.tif 000004
【図３】
2012011150.tif 000005
【図４】
2012011150.tif 000006
【図５】
2012011150.tif 000007
【図６】
2012011150.tif 000008
(57)【要約】      （修正有）【課題】外出先で不意の降雨の際、傘がなくて困っている人に傘を無料で提供でき、スポンサー企業にとっては動く広告塔として高い広告宣伝効果が期待出来るシステムを提供する。【解決手段】広告傘スタンドの設置を希望するスタンド設置者をホームページ上で募集する。広告傘を広告宣伝媒体として利用を希望する企業を同ホームページ上で募集する。企業の負担する広告宣伝費により広告傘を無料で提供する。【選択図】図１
2012058707.tif 000002
【特許請求の範囲】
【請求項１】
不意の降雨時に広告傘を無料で利用者に提供するビジネスモデル。広告傘スタンドを設置し傘を無料提供する。
【請求項２】
傘を無料提供する手段として傘に企業広告を印刷する。広告傘は利用者が歩行することにより新しい移動広告媒体として費用対効果の優れた広告宣伝方法を可能にするビジネスモデル。
【発明の詳細な説明】
【技術分野】
【０００１】  この発明は、外出先で不意の降雨の際、傘がなくて困っている人に傘を提供するシステムをインターネットのホームページ上で解決するビジネスモデルである。
【背景技術】
【０００２】  従来、外出先で不意の雨降りの際、困ることは誰でも経験することである。対策としては雨が止むのを待つか、傘を売っている店を探して購入するか、濡れながら歩くなどいずれも困る問題である。
【発明の概要】
【発明が解決しようとする課題】
【０００３】  外出先で不意の降雨に遭遇することは誰でも防ぎようのない問題だ。そこで、不意の降雨時、困っている人に傘を無料で提供して解決することを課題とする。
【課題を解決するための手段】
【０００４】  以上の問題を解決するためにこの発明は、不意の降雨時に人の集まる場所に傘の必要な人に無料で提供する傘スタンドを設置することでこの課題を解決するものである。
この発明は、傘を広告媒体として利用することにある。
広告傘スタンドの設置を希望するスタンド設置者をホームページ上で募集する。広告傘を広告宣伝媒体として利用を希望する企業を同ホームページ上で募集する。企業の負担する広告宣伝費により広告傘を無料で提供することを実現させる。
【発明の効果】
【０００５】  外出先で不意の降雨時に困っている人に対して無料で広告傘を提供することで快適な行動を確保できる。【０００６】  一方スポンサー企業は利用者に広告傘を利用して貰うことにより動く広告塔としての高い広告宣伝効果が期待出来る。また、スポンサー企業はスタンド設置リストによりある程度、宣伝する地域を絞り込むことが可能となる。設置場所の選定により小規模の広告宣伝にも対応することが出来る。
【図面の簡単な説明】
【０００７】
【図１】この発明のチャート図である。
【発明を実施するための形態】
【０００８】  この発明の一実施形態を、図１に示す。
広告傘運営者０１のホームページ０２で広告傘スタンドの設置希望者０４を募集する。併せて、広告傘を提供するスポンサー企業０５を募集する。
【０００９】  広告傘スタンド設置希望者０４は広告傘運営者のホームページ０２に登録する。登録情報はホームページ０２の傘スタンド設置場所リスト０３に掲載される。
【００１０】  広告傘を提供するスポンサー企業０５は傘スタンド設置場所リスト０３を閲覧して設置スタンドを選択し、提供数量を決定して広告傘運営者のホームページ０２へ申込０９をする。
【００１１】  広告傘運営者０１はスポンサー企業０５から申込０９を受け、傘製造者０６へ発注１０し、完成した傘を設置場所０４へ納入し、傘スタンド０４で利用者１３に配布する。
「実施形態の効果」
【００１２】  この実施形態によれば、不意の降雨時、特に寒さの厳しい時期などは雨に濡れてカゼなど健康を害することから守れることで利用者に便利性を提供する。
また、スポンサー企業には動く広告塔、移動する広告塔として人の目に触れる機会が多くなり費用に比べ広告効果が上げられる。
【産業上の利用可能性】
【００１３】  広告傘は人が歩行する際に使用するため移動広告塔としての役割を果たすことが出来る。このことから移動広告媒体という新しい分野を創出する。また広告傘は費用対効果の優れた広告宣伝方法として利用が期待できる。
さらに、企業が版権を持つキャラクターなどのデザインを採用することにより、広告傘の使用頻度は高くなり、なおかつ、利用者は当該広告傘を所有したいという欲求を生み出す可能性がある。
【符号の説明】
【００１４】０１  広告傘運営者（ホームページの運営と広告傘の募集、設置、製造、流通の全てを運営）
０２  広告傘ホームページ（広告傘運営者が運営）
０３  スタンド設置リスト（広告傘ホームページに掲載）
０４  スタンド設置希望者（駅、劇場、学校、店舗など人の集まる場所の所有者）
０５  広告傘スポンサー（広告傘を採用する企業）
０６  広告傘製造者（傘メーカー）
０７  登録（スタンド設置希望者は広告傘ホームページへ登録、設置リストに掲載される）
０８  スタンド設置リスト閲覧（スポンサー企業はスタンド設置リストから設置場所を選択する）
１０  申込（スポンサー企業は広告傘ホームページへ数量と設置場所を決めて申込む）
１１  発注・納入（運営者はスポンサーの申込後、傘製造者へ発注し、設置希望者へ商品を納入）
１２  請求・支払（広告傘運営者はスポンサー企業へ広告費を請求する）
１３  配布（広告傘運営者から納入された傘はスタンド設置者から利用者へ配布される）
【図１】
2012058707.tif 000003
(57)【要約】【課題】安価に製造でき、廃棄時に分解しやすく、電池を安全に保護し、光源部材を保持し、安定して設置できる電気スタンドとしても、手持ちしやすい懐中電灯としても利用できる、照明装置を提供する。【解決手段】光源部材の電極線を挿すためのスリットと、上部で２枚を結合する形状を持つ、電池の電極面を覆い隠す幅の、２枚の帯状部材を、電池の向かい合う電極面に接着し、スリットに光源部材を差し込むことで電池電極と光源部材の電極が接続され発光する。電気スタンドとして利用する場合は帯状部材の下部を広げ脚とし、上部を結合させることで光を拡散させるシェードとなる。また、懐中電灯として利用する場合には帯状部材の上部を解放し、下部を握ることで持ちやすくなる。【選択図】図５
2012212639.tif 000002
【特許請求の範囲】
【請求項１】
光源部材の電極を挿入し位置を固定するためのスリットがあり、上部に互いに結合する形状を持った２枚の帯状部材を、電池を中心に向かい合うように電池に接着し、光源部材の電極線を帯状部材のスリットに挿入し、電池の電極と接続し、帯状部材の下部がスタンドの脚として利用でき、上部がシェードとして利用でき、廃棄時に容易に分解できる、ことを特徴とする照明装置
【発明の詳細な説明】
【技術分野】
【０００１】
本発明は、照明装置に関するものである。
【背景技術】
【０００２】
従来，電池と通電開閉機構と光源部材を外装部材で配置する照明装置があった。
【発明の概要】
【発明が解決しようとする課題】
【０００３】
そのために、次のような問題点があった。
（イ）部品点数が多く、複雑であるためコストが高い
（ロ）廃棄時に分解しにくい
（ハ）懐中電灯と電気スタンドの２つの利用形態切り替えられる照明装置もあるが、機構が複雑であった。
本発明は、これらの問題点を解決するためになされたものである。
【課題を解決するための手段】
【０００４】
光源部材の電極線を挿すためのスリットと、上部で２枚を結合する形状を持つ、電池の電極面を覆い隠す幅の、２枚の帯状部材を電池を中心に向かい合うように電池に接着し、帯状部材の少なくとも１枚は、電池の電極面に接着し、スリットに光源部材を差し込むことで電池電極と光源部材電極が接続され発光させる。電気スタンドとして利用する場合は帯状部材の下部を広げ脚とし、上部を結合させることで光を拡散させるシェードとなる。また、懐中電灯として利用する場合には帯状部材の上部を解放し、下部を握ることで持ちやすくなる。
以上を特徴とする照明装置である。
【発明の効果】
【０００５】
安価に製造でき、廃棄時に分解しやすく、電池を安全に保護し、光源部材を保持し、安定して設置できる電気スタンドとしても、手持ちしやすい懐中電灯としても利用できる、照明装置を提供する。
【図面の簡単な説明】
【０００６】
【図１】本発明の正面図
【図２】本発明の側面図
【図３】本発明の使用前の状態
【図４】本発明の懐中電灯として使用する状態
【図５】本発明の電気スタンドとして使用する状態
【図６】本発明の帯状部材の形状の応用例
【発明を実施するための形態】
【０００７】
以下、本発明の実施の形態について説明する。
（イ）帯状部材１００ａと帯状部材１００ｂは、電池１０３の電極面を覆う幅を持たせる。
（ロ）帯状部材１００ａと帯状部材１００ｂの、略中央部にスリットを設ける。
（ハ）帯状部材１００ａと帯状部材１００ｂの、上部に互いに接合できる形状を設ける。
（ニ）電池１０３を挟み、帯状部材１００ａと帯状部材１００ｂを接着する。
（ホ）帯状部材１００ａと帯状部材１００ｂのスリットに光源部材の電極線を挿入して、電池１０３のプラス電極とマイナス電極に接するようにする。
本発明は以上のような構成でこれを使用するときは、図５に示すように、帯状部材１００ａと帯状部材１００ｂの下部を開きスタンドの脚にして、上部を互いに接合しシェードにして、電気スタンドとして利用する。また、図４に示すように帯状部材１００ａと帯状部材１００ｂの下部を開かずグリップとし、上部を接合せずにシェードを作らないことで懐中電灯として利用する。
【実施例】
【０００８】
帯状部材は紙やプラスチックシートのように、絶縁体であり、弾性のある材質を用いることで、安定した脚の形態をとりやすく、またシェードの形態もつくりやすい。
【０００９】
２枚の帯状部材の代わりに、図６に示すように２枚の帯状部材が合体した部材を用い、折り曲げて２枚の帯状部材の代用とすることもできる。
【００１０】
さらに、帯状部材の表面は、コマーシャルメッセージのスペースに利用することや、穴やスリットによる模様を付けることもできる。
【符号の説明】
【００１１】
１００ａ    帯状部材
１００ｂ    帯状部材
１０１      光源部材
１０２      光源部材電極線
１０３      電池
１０４      ２枚の帯状部材の代用部材
【図１】
2012212639.tif 000003
【図２】
2012212639.tif 000004
【図３】
2012212639.tif 000005
【図４】
2012212639.tif 000006
【図５】
2012212639.tif 000007
【図６】
2012212639.tif 000008
(57)【要約】      （修正有）【課題】経皮吸収型鎮痛消炎剤外用薬テープのフィルムを全部外して、体に貼る事を可能にした、粘着面を設けた媒助カードを提供する。【解決手段】撓むフィルム、又は、用紙を、外用薬テープが接着出来る様に矩形に裁断し、長い方の一辺に、厚みを作って取手３とする。周囲に余白を取り、粘着面２を設けた媒助カード１の製作によって、体のどんな場所でも簡単に貼れることを特徴とする。又剥離を良くするように、粘着面を少なくするように粘着部を菱形にした構成とする。【選択図】図１
2012086001.tif 000002
【特許請求の範囲】
【請求項１】
撓む用紙を、外用薬テープの寸法より縦長に裁断したものの端に、少し厚みを付けて取っ手を作り、持ち易くしたカード
【請求項２】
「請求項１」上記のカードの片面に、菱形を作り、白紙の部分と、菱形の部分の、互い違いに、接着剤を貼着する。
【請求項３】
使用の際に、剥離を助ける取っ手となる。
【発明の詳細な説明】
【技術分野】
【０００１】  本発明は、経皮吸収型鎮痛消炎剤外用薬テープを、患部に貼付する事に関するものである。
【背景技術】
【０００２】  上記の外用薬テープは、基盤の布に、主薬である、鎮痛消炎剤等が、混和された粘着剤で、構成されたものを、布の片面に纒着され、数字を印刷したフィルムで、保護したものである。【０００３】  外用薬テープの使用法には、番号順にフィルムを外して貼付する様書いているが、テープは布であるから、伸張や柔軟があって、フィルムを外すと、操作の仕方によっては、絡み合う欠点がある。
患部の大半が、腰、肩、背と背後に多いとなると、一人暮らしの者には貼付が難しい。【０００４】  使用の難しさの為、携帯電話やパソコン等で、検索するような方法を取っては居るが、所持していないものや、操作ができない人もいて、大衆性がない。
【先行技術文献】
【特局文献】
【０００５】［特開２００３−１３５６０５］では、適当な粘着力を持つ粘着剤を添付した基材、木質、竹質、プラスチック成型、合成樹脂等、材質は制限する必要はないとなっているが、
本発明は、撓む程度の用紙としているが、前記の機能を有していれば、他材でもよい。それを外用薬テープと同じ長方形に裁断して、縦長にした部分を数回折り重ねて、取手とした媒助カードの粘着剤を、幾何学模様にして粘着面を少なくした点の違いがある。
【０００６】［実全平０２−９４５５８］
混布剤、絆創膏等の粘着具であって、把持体の先端部に、粘着部材の粘着力よりも弱い粘着剤を有する粘着部を設けた点となっているが、
本発明は、消炎剤外用薬テープと媒助カードの粘着面の面積の比率によって少ないほうが先に剥れる原理に従い、媒助カードの粘着剤は、外用薬テープより少なくし、剥離し易い様に、幾何学模様にし、塗着したので、上記の考案とは思考の違いがある。
【０００７】［実用新案登録第３１４６２９７号］
接着剤を付設した貼付板を組み立て、強度のない貼り薬を抑え板に介し、貼付板に付接した両面テープ、マジックテープ、糊などの接着剤にて、確実に張り付け、保持し貼り薬の誤着防止フィルムを剥がした後、貼り薬面が誤着してしまうことなく、容易に患部まで移送することを可能にした点だが、組み立てる手間が面倒だし、貼り終った後まで、始末が必要である。
本発明の媒助カードは一体であるから、使用が簡単で、一枚で器財が出来ているので、低廉である上、貼り終った媒助カードは、新しい薬用テープに付着しておくと便利である。
【０００８】［実用新案登録第３０４９５８３号］外用貼付剤の貼付具
［実用新案登録第３１４７１０４号］外用薬貼り付け補助具
［実用新案登録第３１１４２５７号］薬剤貼付シート貼り付け具
［特開２００４−０４１６４８］    外用貼付剤の貼り付け具
［特開２００４−０８９６５７］    貼り付け剤用貼り付け具
以上の貼り付け具は、各部分を組み立て製作しているので、費用や手間の時間がかかったりして、使用に関しても複雑で、取扱いに手間がかかる。
本発明の、媒助カードは、撓む程度の用紙を、消炎剤外用薬テープと同じ長方形に取っ手部を設ける様裁断して、縦長の部分を、数回折り重ねて取ってとした媒助カードで簡単にして、上記５件の機能を持った優れものである。
【発明の概要】
【発明が解決しようとする課題】
【０００９】前述の欠点や、大衆性の欠如を払拭して、総ての人に、快適に使用する方法はないかと、試行錯誤の末、開発したのが、粘着面を設けた取っ手付媒助カードである。
【課題を解決する為の手段】
【００１０】経皮吸収型鎮痛消炎剤外用薬テープの粘着面と、媒助カードの粘着面に差をつけたら、力学的に少ない方が、先に離れる原理に基づいて、粘着剤を、幾何学模様に点着して、媒助カードの粘着面を縮小した、これに薬用テープを貼り、患部に接着して取っ手を持ち上げれば粘着する。
【発明の効果】
【００１１】取っ手付媒助カードの使用で、外用薬テープの接着が、簡略化することを提供したものである。使用を終わった前期のカードは、次の外用薬テープに貼付しておくと、媒助カードの管理と、次のテープの使用が、繰り返し出来る効果がある。
【００１２】カードの背面は、白紙であるから、広告宣伝等に利用すれば、商品価値が倍増する利点もある。
【図面の簡単な説明】
【００１３】
【図１】本発明に係る実施形態を示す媒助カードの斜視図である。
【符号の説明】
【００１４】  １．媒助カード
２．粘着面
３．取手
【発明を実施するための形態】
【００１５】  本発明は、符号２に、経皮吸収型鎮痛消炎剤外用薬テープを接着して、外用薬を保護しているフィルムをはずして患部に貼り、符号３の取手を持ち上げると、テープは患部に残り、カードは分離して、貼付する目的は達成される。
【図１】
2012086001.tif 000003
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
撓む用紙を外用薬テープの寸法より縦長に裁断し、延長した部分を少し厚みを付けて取っ手を作り、持ち易くした媒助カード
【請求項２】
上記接着面は、片面を菱形で同一形状の接着面が塗布された接着部が、均一に分布しており、上記接着部以外の部位においては、接着剤が塗布されていないことを特徴とする［請求項１］に記載の媒助カード
(57)【要約】【課題】鏡面性を有し且つ曇りを防止可能な浴室パネル用化粧金属板を提供することである。【解決手段】金属板３に表層フィルム５を貼付した浴室パネル用化粧金属板１であって、表層フィルム５は透明であり、表層フィルム５と金属板３との間に、鏡面加工が施された金属層４と、通電可能な導電性塗料層３とを設けた。導電性塗料層３は、電流を流すことが可能な層であり、略ヒータを成している。金属層４の表面には鏡面加工が施されており、略鏡を成している。【選択図】図１
2012086365.tif 000002
【特許請求の範囲】
【請求項１】
鋼鈑に表層フィルムを貼付した浴室パネル用化粧金属板であって、表層フィルムは透明であり、表層フィルムと鋼鈑との間に、鏡面加工が施された金属層と、通電可能な導電性塗料層とを設けたことを特徴とする浴室パネル用化粧金属板。
【発明の詳細な説明】
【技術分野】
【０００１】
本発明は、浴室パネル用化粧金属板に関し、さらに詳細には、表層フィルムを貼付した浴室パネル用化粧金属板に関する。
【背景技術】
【０００２】
ユニットバスやシステムバス等の浴室において、天井パネルや壁パネルとして表層フィルムを貼付した化粧鋼鈑が用いられている。化粧鋼鈑は、不燃性の鋼鈑に化粧フィルムを貼付したものであり、薄型・軽量を特徴とする材料として多用されている。又、浴室内において、全身の姿勢等を確認したいという需要は多い。特許文献１には、鏡面性を有した化粧シートを用いた化粧板が開示されており、浴室の壁材として好適に用いることが可能とされている。
【先行技術文献】
【特許文献】
【０００３】
【特許文献１】特開２００７−２０４９６６号公報
【発明の概要】
【発明が解決しようとする課題】
【０００４】
ところが、特許文献１に記載の化粧板は、一般的な鏡と同様に、浴室内の湯気等で曇る恐れがある。
【０００５】
そこで、本発明は、鏡面性を有し且つ曇りを防止可能な浴室パネル用化粧金属板の提供を目的とする。
【課題を解決するための手段】
【０００６】
上記課題を解決するための請求項１に記載の発明は、鋼鈑に表層フィルムを貼付した浴室パネル用化粧金属板であって、表層フィルムは透明であり、表層フィルムと鋼鈑との間に、鏡面加工が施された金属層と、通電可能な導電性塗料層とを設けたことを特徴とする浴室パネル用化粧金属板である。
【０００７】
本発明で採用する「金属層」は、アルミニウムや銀等の金属層であり、金属層の表面には鏡面加工が施されている。前記金属層の下側に設けられた導電性塗料層は、電流を流すことが可能な層であり、ヒータの役目を果たしている。すなわち、本浴室パネル用化粧金属板を浴室パネルとして用いる場合、導電性塗料層に通電することによって、金属層を温めることが可能であり、表層フィルムが結露することを防止できる。
【０００８】
例えば、請求項１に記載の浴室パネル用化粧金属板１枚で浴室パネルを形成した場合、浴室内の壁全体に電流が流れることとなり、無駄が多い。そのため、複数の浴室パネルで浴室内の壁を構成し、個々に通電制御可能にすることで、必要な浴室パネルのみ鏡として使用することができる。その結果、不要な浴室パネルに電流が流れることを防止でき、経済性に優れている。
【発明の効果】
【０００９】
本発明の浴室パネル用化粧金属板によれば、鏡面性を有し且つ曇りを防止可能である。
【図面の簡単な説明】
【００１０】
【図１】本発明の実施形態に係る浴室パネル用化粧金属板を示す構造図である。
【図２】本発明の実施形態に係る浴室パネル用化粧金属板を備えた浴室を示す斜視図である。
【発明を実施するための形態】
【００１１】
以下では、本発明の浴室パネル用化粧金属板の実施形態について、図面を参照しながら詳細に説明する。なお、以下の説明は、実施形態の理解を容易にするためのものであり、これによって、本発明が制限して理解されるべきではない。
【００１２】
図１は、本発明の実施形態に係る浴室パネル用化粧金属板１の断面形状を示す。浴室パネル用化粧金属板１は、裏面側から、金属板（鋼板）２、導電性塗料層３、金属層４、表層フィルム５の順に積層されている。
【００１３】
導電性塗料層３は、電流を流すことが可能な層である。導電性塗料層３は、導電材、合成樹脂、有機溶剤等で構成されることが好ましい。
【００１４】
金属層４は、アルミニウムや銀等で構成されるものであり、箔状加工することや金属蒸着等で形成される。金属層４の表面には鏡面加工が施されており、鏡の性能を有している。
【００１５】
表層フィルム５は、透明性を有した合成樹脂で構成されている。表層フィルム５は、耐水性、耐薬品性に優れていることが好ましい。
【００１６】
前述の通り、導電性塗料層３は通電可能なものである。すなわち、導電性塗料層３の両端部に、図示しないリード線等を接続し通電することで、導電性塗料層３が発熱し、略ヒータと成る。その結果、浴室パネル用化粧金属板１を浴室パネルとして用いる場合、鏡の性能を有する金属層４を温めることが可能であり、表層フィルム５が結露することを防止できる。すなわち、浴室パネル用化粧金属板１の表面が曇ることがなく、鏡面性を維持することができる。
【００１７】
図２に示す浴室１０には、複数の浴室パネル用化粧金属板１が正面壁１１、左壁１２、右壁１３にそれぞれ設置されている。詳述すると、正面壁１１には３枚の浴室パネル用化粧金属板１が設置され、浴室パネル１１ａ〜１１ｃを構成している。同じく、左壁１２には３枚の浴室パネル用化粧金属板１が設置され、浴室パネル１２ａ〜１２ｃを構成しており、右壁１３には３枚の浴室パネル用化粧金属板１が設置され、浴室パネル１３ａ〜１３ｃを構成している。
【００１８】
浴室パネル１１ａ〜１１ｃ，１２ａ〜１２ｃ，１３ａ〜１３ｃは、それぞれ独立した浴室パネル用化粧金属板１で構成されていることから、個々に通電制御が可能である。すなわち、図示しない制御装置とスイッチ等によって、必要な浴室パネルだけに通電することで、通電した浴室パネルを所望する鏡として利用可能である。
【符号の説明】
【００１９】
１    浴室パネル用化粧金属板
２    金属板（鋼鈑）
３    導電性塗料層
４    金属層
５    表層フィルム
１０    浴室
１１ａ〜１１ｃ，１２ａ〜１２ｃ，１３ａ〜１３ｃ    浴室パネル
【図１】
2012086365.tif 000003
【図２】
2012086365.tif 000004